(57)【要約】【課題】  洗面台や収納棚などの箱体の昇降を簡潔構造で行う昇降装置を提供すること。【解決手段】  本発明の昇降装置は、支持体に取付けられたベルトまたはワイヤを巻き取る巻取りローラと、箱体の側面側の内側に取付けられた第１のガイドローラと、前記巻取りローラと水平方向で前記支持体に取付けられた第２のガイドローラと、前記箱体の他方の側面側の内側に取付けられた第３のガイドローラとを備え、一方の側の前記ベルトまたはワイヤが前記第１のガイドローラで折返されて端部が前記支持体に固定され、他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うこととした。【選択図】  図１
2005289635.tif 000002
【特許請求の範囲】
【請求項１】
支持体に取付けられたベルトまたはワイヤを巻き取る巻取りローラと、前記巻取りローラの下方で箱体の側面側の内側に取付けられた第１のガイドローラと、前記巻取りローラと水平方向で前記支持体に取付けられた第２のガイドローラと、前記第２のガイドローラの下方で前記箱体の他方の側面側の内側に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うことを特徴とする昇降装置。
【請求項２】
支持体に取付けられたベルトまたはワイヤを巻き取る巻取りローラと、前記巻取りローラの下方で箱体の端部に取付けられた第１のガイドローラと、前記巻取りローラと水平方向で前記支持体に取付けられた第２のガイドローラと、前記第２のガイドローラの下方で前記箱体の他方の端部に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うことを特徴とする昇降装置。
【請求項３】
前記巻取りローラは、中心を通り軸方向に形成したスリットに前記ベルトまたはワイヤを挟み、取付ネジにより固定板を介し前記スリットに挟まれた前記ベルトまたはワイヤを締め付け固定することを特徴とする請求項１または請求項２に記載の昇降装置。
【発明の詳細な説明】
【技術分野】
【０００１】  本発明は、洗面台や収納棚などの箱体の昇降を簡潔構造で行う昇降装置に関する。
【背景技術】
【０００２】  従来の洗面台には、垂直方向に設置したねじ棒をモータ駆動により回転させる昇降装置により所望の高さまで昇降可能にする昇降式のものがある（例えば、特許文献１参照）。また、戸棚には、戸棚ケースを台所の壁面上部などに設置し、モータ駆動によりベルトを巻き取り巻き戻しする昇降装置により、戸棚ケースに収納した収納棚を戸棚ケースの下側まで昇降可能にする昇降式のものがある（例えば、特許文献２参照）。【０００３】
【特許文献１】      特開平１１−７６０８０
【特許文献２】      特開２００１−２９９４７２
【発明の開示】
【発明が解決しようとする課題】
【０００４】  しかしながら、洗面台などに用いられる従来の昇降装置は、垂直方向に設置したねじ棒をモータ駆動により回転させるため機構が複雑であり、また、戸棚などに用いられる従来の昇降装置も、合計４個のガイドローラと巻取りローラを設置し、４個のガイドローラと巻取りローラに掛けたベルトを巻き取り巻き戻しすることにより収納棚を昇降させるため機構が複雑という問題があった。
本発明は、上記に鑑みてなされたものであって、洗面台や収納棚などの箱体の昇降を簡潔構造で行う昇降装置を提供することを目的とする。
【課題を解決するための手段】
【０００５】  本発明の昇降装置は、支持体に取付けられたベルトまたはワイヤを巻き取る巻取りローラと、前記巻取りローラの下方で箱体の側面側の内側に取付けられた第１のガイドローラと、前記巻取りローラと水平方向で前記支持体に取付けられた第２のガイドローラと、前記第２のガイドローラの下方で前記箱体の他方の側面側の内側に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うこととした。
また、本発明の昇降装置は、支持体に取付けられたベルトまたはワイヤを巻き取る巻取りローラと、前記巻取りローラの下方で箱体の端部に取付けられた第１のガイドローラと、前記巻取りローラと水平方向で前記支持体に取付けられた第２のガイドローラと、前記第２のガイドローラの下方で前記箱体の他方の端部に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うこととした。
さらに、前記巻取りローラは、中心を通り軸方向に形成したスリットに前記ベルトまたはワイヤを挟み、取付ネジにより固定板を介し前記スリットに挟まれた前記ベルトまたはワイヤを締め付け固定することとした。
【発明の効果】
【０００６】  本発明の昇降装置は、支持体に取付けられたベルトまたはワイヤを巻き取る巻取りローラと、前記巻取りローラの下方で箱体の側面側の内側に取付けられた第１のガイドローラと、前記巻取りローラと水平方向で前記支持体に取付けられた第２のガイドローラと、前記第２のガイドローラの下方で前記箱体の他方の側面側の内側に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うこととしたため、洗面台の洗面本体などの箱体を簡潔構造で効率よく昇降させることができる。
また、本発明の昇降装置は、支持体に取付けられたベルトまたはワイヤを巻き取る巻取りローラと、前記巻取りローラの下方で箱体の端部に取付けられた第１のガイドローラと、前記巻取りローラと水平方向で前記支持体に取付けられた第２のガイドローラと、前記第２のガイドローラの下方で前記箱体の他方の端部に取付けられた第３のガイドローラとを備え、前記ベルトまたはワイヤは、前記巻取りローラに固定された一方の側の前記ベルトまたはワイヤが前記第１のガイドローラで折返されて端部が前記支持体に固定され、前記巻取りローラに固定された他方の側の前記ベルトまたはワイヤが前記第２のガイドローラに掛けられ、前記第３のガイドローラで折返されて端部が前記支持体に固定され、前記ベルトまたはワイヤの巻き取り巻き戻しにより前記箱体の昇降を行うこととしたため、昇降式戸棚の収納棚などの箱体を簡潔構造で効率よく昇降させることができる。
さらに、前記巻取りローラは、中心を通り軸方向に形成したスリットに前記ベルトまたはワイヤを挟み、取付ネジにより固定板を介し前記スリットに挟まれた前記ベルトまたはワイヤを締め付け固定することとしたため、巻取りローラのスリットに挟まれたベルトの一方が万一切断したとしても、他方のベルトで吊り下げられた箱体を支持するようにすることができる。
【発明を実施するための最良の形態】
【０００７】  以下、本発明の実施の形態の洗面台に用いられる昇降装置につき図を用いて説明する。
【実施例１】
【０００８】  図１は、本発明の第１の実施の形態の洗面台に用いられる昇降装置の斜視図を示す。
図１に示すように、本発明の第１の実施の形態の洗面台に用いられる昇降装置１０は、洗面台２０に取付けられ、洗面台２０は、洗面本体２１の内側に支持体２２ａ、２２ｂが取付けられ、洗面本体２１と支持体２２ａ、２２ｂとの隙間に上下方向にスライダ３１が設置され、洗面本体２１は支持体２２ａ、２２ｂに沿って上下方向にスライド可能となっている。そのため、洗面台２０は、昇降装置１０により、洗面本体２１を最下端の位置から支持体２２ａ、２２ｂに沿って上昇させ、洗面本体２１を所望の高さの位置にすることができる。【０００９】  図２は、本発明の第１の実施の形態の洗面台に用いられる昇降装置が取付けられる洗面台に使用するスライダの断面図を示す。【００１０】  図２に示すように、スライダ３１は、ガイドレール３１ａとスライドレール３１ｂとで構成され、ガイドレール３１ａが洗面本体２１の側面側の内側に取付けられ、ガイドレール３１ａにボール３１ｃを介し内装されるスライドレール３１ｂが、洗面本体２１と支持体２２ａ、２２ｂとの間の隙間用のスペーサ３２を介し、支持体２２ａ、２２ｂの外側面に取付けられている。そのため、洗面本体２１は、支持体２２ａ、２２ｂの外側面に沿って上下方向にスライドすることができる。【００１１】  図３は、本発明の第１の実施の形態の洗面台に用いられる昇降装置の斜視図を示す。
図３に示すように、洗面台に用いられる昇降装置１０は、支持体２２ａの外側上部の中央に駆動モータ１１が取付けられ、駆動モータ１１は、ＤＣモータ１１ａと、ＤＣモータ１１ａの回転数を減速しトルクを増大する減速器１１ｂとにより構成され、減速器１１ｂにはベルト４１を巻き取る巻取りローラ１２が取付けられている。また、洗面台に用いられる昇降装置１０は、第１のガイドローラ１３が巻取りローラ１２の下方で洗面本体２１の側面側の内側に取付部１３ａにより取付けられ、第２のガイドローラ１４が支持体２２ｂの外側上部の中央に取付部１４ａにより取付けられ、第３のガイドローラ１５が第２のガイドローラ１４の下方で洗面本体２１の側面側の内側に取付部１５ａにより取付けられている。【００１２】  ベルト４１は、巻取りローラ１２のスリット１２ａに挟まれて固定され、スリット１２に挟まれた一方のベルト４１ａが第１のガイドローラ１３に掛けられ、第１のガイドローラ１３で折返されて端部が支持体２２ａに取付けられた固定ピン１６に固定されている。スリット１２ａに挟まれた他方のベルト４１ｂは、第２のガイドローラ１４に掛けられ、第３のガイドローラ１５で折返されて端部が支持体２２ｂに取付けられた固定ピン１７に固定されている。
駆動モータ１１は、上昇スイッチ１９ａと下降スイッチ１９ｂとを有する洗面本体２１の側面側などに設けられる操作スイッチ１９に接続し、上昇スイッチ１９ａが操作されると正転作動し、巻取りローラ１２がベルト４１を巻き取り洗面本体２１は上昇する。下降スイッチ１９ｂが操作されると駆動モータ１１は逆転作動し、巻取りローラ１２を逆転回動させ巻取りローラ１２に巻かれているベルト４１は巻き戻され洗面本体２１は下降する。【００１３】  図４は、本発明の第１の実施の形態の洗面台に用いられる昇降装置の動作図を示し、図４（ａ）は、本発明の第１の実施の形態の洗面台に用いられる昇降装置が洗面台の洗面本体を下降させているときの正面図を示し、図４（ｂ）は、本発明の第１の実施の形態の洗面台に用いられる昇降装置が洗面本体を上昇させているときの正面図を示す。
図４（ａ）に示すように、洗面本体２１が下降しているとき、図３に示す操作スイッチ１９の上昇スイッチ１９ａが操作されたときには、支持体２２ａの外側上部に取付けられた駆動モータ１１が作動して巻取りローラ１２が矢印Ｕに示すように回動し、洗面本体２１の側面側の内側に取付けられた巻取りローラ１２に掛けられ、洗面本体２１の側面側の内側に取付けられた第１のガイドローラ１３で折返され、支持体２２ａに取付けられた固定ピン１６で端部が固定されたベルト４１ａと、巻取りローラ１２に掛けられ、支持体２２ｂの外側上部に取付けられた第２のガイドローラ１４に掛けられ、洗面本体２１の側面側の内側に取付けられた第３のガイドローラ１５で折返され、支持体２２ｂに取付けられた固定ピン１７で端部が固定されたベルト４１ｂとが巻き取られ、洗面本体２１は上昇する。【００１４】  また、図４（ｂ）に示すように、洗面本体２１が上昇しているとき、図３に示す操作スイッチ１９の下降スイッチ１９ｂが操作されたときには、駆動モータ１１が作動して巻取りローラ１２が矢印Ｄに示すように回動し、巻取りローラ１２に掛けられたベルト４１ａ、４１ｂが巻き戻されて洗面本体２１は下降する。
ベルト４１ａは、第１のガイドローラ１３で折返されて固定ピン１６で端部が固定され、ベルト４１ｂは、第３のガイドローラ１５で折返されて固定ピン１７で端部が固定されているため、洗面本体２１の上昇駆動力を倍にして上昇させることができる。【００１５】  以上述べたように、本発明の第１の実施の形態の洗面台に用いられる昇降装置は、巻取りローラ１２と、３個の第１、第２、第３のガイドローラ１３、１４、１５と、ベルト４１とで洗面本体２１を昇降させることができ、簡潔構造で効率よく洗面本体２１を昇降させることができる。
なお、本発明の第１の実施の形態の洗面台に用いられる昇降装置は、ベルト４１を１本設けた昇降機構１０について述べたが、昇降機構１０を併設し、２本のベルトで洗面本体２１を昇降させることもできる。
また、本発明の第１の実施の形態の洗面台に用いられる昇降装置は、ベルト４１で昇降させるようにしたが、ワイヤ類で昇降させるようにすることもできる。
さらに、本発明の第１の実施の形態の昇降装置では、洗面台に用いられる昇降装置につき述べたが、これに限定されることなく、その他流し台や調理台などの箱体の昇降にも使用することができる。
【実施例２】
【００１６】  図５は、本発明の第２の実施の形態の昇降式戸棚に用いられる昇降装置の斜視図を示す。
図５に示すように、昇降式戸棚に用いられる昇降装置５０は、戸棚ケース６１に設けられた断面がチャンネル形状の支持体６３の一端外側に駆動モータ５１が取付けられ、駆動モータ５１は、ＤＣモータ５１ａと、ＤＣモータ５１ａの回転数を減速しトルクを増大する減速器５１ｂとにより構成され、減速器５１ｂにはベルト４２を巻き取る巻取りローラ５２が支持体６３の内側に取付けられている。また、昇降式戸棚に用いられる昇降装置５０は、第１のガイドローラ５３が巻取りローラ５２の下方で収納棚６２の一方の上面端部に取付部５３ａにより取付けられ、第２のガイドローラ５４が支持体６３の他方の内側に取付けられ、第３のガイドローラ５５が第２のガイドローラ５４の下方で収納棚６２の他方の上面端部に取付部５５ａにより取付けられている。【００１７】  ベルト４２は、巻取りローラ５２のスリット５２ａに挟まれて固定され、スリット５２に挟まれた一方のベルト４２ａが第１のガイドローラ５３に掛けられ、第１のガイドローラ５３で折返されて端部が支持体６３に取付けられた固定ピン５６に固定されている。スリット５２ａに挟まれた他方のベルト４２ｂは、第２のガイドローラ５４に掛けられ、第３のガイドローラ５５で折返されて端部が支持体６３に取付けられた固定ピン５７に固定されている。
駆動モータ５１は、上昇スイッチ５９ａと下降スイッチ５９ｂとを有する壁面などに設けられる操作スイッチ５９に接続し、上昇スイッチ５９ａが操作されると正転作動し、巻取りローラ５２がベルト４２を巻き取り収納棚６２は上昇する。下降スイッチ５９ｂが操作されると駆動モータ５１は逆転作動し、巻取りローラ５２を逆転回動させ巻取りローラ５２に巻かれているベルト４２は巻き戻され収納棚６２は下降する。【００１８】  図６は、本発明の第２の実施の形態の昇降式戸棚に用いられる昇降装置の動作図を示し、図６（ａ）は、本発明の第２の実施の形態の昇降式戸棚に用いられる昇降装置が収納棚を下降させているときの正面図を示し、図６（ｂ）は、本発明の第２の実施の形態の昇降式戸棚に用いられる昇降装置が収納棚を上昇させているときの正面図を示す。
図６（ａ）に示すように、収納棚６２が下降しているとき、図５に示す操作スイッチ５９の上昇スイッチ５９ａが操作されたときには、駆動モータ５１が作動して巻取りローラ５２が矢印Ｕに示すように回動し、巻取りローラ５２に掛けられ、第１のガイドローラ５３で折返され、支持体６３に取付けられた固定ピン５６で端部が固定されたベルト４２ａと、巻取りローラ５２に掛けられ、第２のガイドローラ５４に掛けられ、第３のガイドローラ５５で折返され、支持体６３に取付けられた固定ピン５７で端部が固定されたベルト４２ｂとが巻き取られ、収納棚６２は上昇する。【００１９】  また、図６（ｂ）に示すように、収納棚６２が上昇しているとき、図５に示す操作スイッチ５９の下降スイッチ５９ｂが操作されたときには、駆動モータ５１が作動して巻取りローラ５２が矢印Ｄに示すように回動し、巻取りローラ５２に掛けられたベルト４２ａ、４２ｂが巻き戻されて収納棚６２は下降する。
ベルト４２ａは、第１のガイドローラ５３で折返されて固定ピン５６で端部が固定され、ベルト４２ｂは、第３のガイドローラ５５で折返されて固定ピン５７で端部が固定されているため、収納棚６２の上昇駆動力を倍にして上昇させることができる。【００２０】  以上述べたように、本発明の第２の実施の形態の昇降式戸棚に用いられる昇降装置は、巻取りローラ５２と、３個の第１、第２、第３のガイドローラ５３、５４、５５と、ベルト４２とで収納棚６２を昇降させることができ、簡潔構造で効率よく収納棚６２を昇降させることができる。
なお、本発明の第２の実施の形態の昇降式戸棚に用いられる昇降装置は、ベルト４２を１本設けた昇降機構５０について述べたが、昇降機構５０を併設し、２本のベルトで収納棚６２を昇降させることもできる。
また、本発明の第２の実施の形態の収納棚に用いられる昇降装置は、ベルト４２で昇降させるようにしたが、ワイヤ類で昇降させるようにすることもできる。
また、本発明の第２の実施の形態の収納棚に用いられる昇降装置は、戸棚ケース６１と収納棚６２との隙間にスライダを設置し、より円滑に昇降させることもできる。
さらに、本発明の第２の実施の形態では、収納棚に用いられる昇降装置につき述べたが、これに限定されることなく、その他ベッドや本棚などの箱体の昇降にも使用することができる。【００２１】  図７は、本発明の第１、２の実施の形態の昇降装置で用いられる巻取りローラの一部を破断した正面図を示す。
図７に示すように、巻取りローラ１２、５２は、ベルト４１、４２がスリット１２ａ、５２ａに挟まれるが、切欠部７４から取付ネジ７３により固定板７１を締め付け、ベルト４１、４２は巻取りローラ１２、５２に強固に固定される。そのため、ベルト４１、４２の一方が万一切断したとしても、他方のベルトで吊り下げられた箱体を支持するようにすることができる。
【図面の簡単な説明】
【００２２】
【図１】  本発明の第１の実施の形態の洗面台に用いられる昇降装置の斜視図を示す。
【図２】  本発明の第１の実施の形態の洗面台に用いられる昇降装置が取付けられる洗面台に使用するスライダの断面図を示す。
【図３】  本発明の第１の実施の形態の洗面台に用いられる昇降装置の斜視図を示す。
【図４】  本発明の第１の実施の形態の洗面台に用いられる昇降装置の動作図を示し、図４（ａ）は、本発明の第１の実施の形態の洗面台に用いられる昇降装置が洗面台の洗面本体を下降させているときの正面図を示し、図４（ｂ）は、本発明の第１の実施の形態の洗面台に用いられる昇降装置が洗面本体を上昇させているときの正面図を示す。
【図５】  本発明の第２の実施の形態の昇降式戸棚に用いられる昇降装置の斜視図を示す。
【図６】  本発明の第２の実施の形態の昇降式戸棚に用いられる昇降装置の動作図を示し、図６（ａ）は、本発明の第２の実施の形態の昇降式戸棚に用いられる昇降装置が収納棚を下降させているときの正面図を示し、図６（ｂ）は、本発明の第２の実施の形態の昇降式戸棚に用いられる昇降装置が収納棚を上昇させているときの正面図を示す。
【図７】  本発明の第１、２の実施の形態の昇降装置で用いられる巻取りローラの一部を破断した正面図を示す。
【符号の説明】
【００２３】  １０、５０  昇降装置
１１、５１  駆動モータ
１２、５２  巻取りローラ
１２ａ、５２ａ  スリット
１３、５３  第１のガイドローラ
１４、５４  第２のガイドローラ
１５、５４  第３のガイドローラ
１６、１７、５６、５７  固定ピン
１９、５９  操作スイッチ
２１  洗面本体
２２ａ、２２ｂ、６３  支持体
３１  スライダ
４１、４２  ベルト
６１  戸棚ケース６１
６２  収納棚
７３  取付ネジ
７１  固定板
【図１】
2005289635.tif 000003
【図２】
2005289635.tif 000004
【図３】
2005289635.tif 000005
【図４】
2005289635.tif 000006
【図５】
2005289635.tif 000007
【図６】
2005289635.tif 000008
【図７】
2005289635.tif 000009